(57)【要約】【課題】箱本体とカバー部材とを容易に組み付けることができる電気接続箱を提供する。【解決手段】電気接続箱１は箱本体２とロアカバー３と電線固定片９と案内部１０を備えている。箱本体２にはワイヤハーネス７の端末が取り付けられる。ロアカバー３には一対の突起１４などにより形成された凹溝１７が設けられている。電線固定片９は箱本体２からロアカバー３に向かって延在する。電線固定片９にはワイヤハーネス７が取り付けられる。電線固定片９は箱本体２とロアカバー３とが互いに組み付けられると凹溝１７を塞ぐ。案内部１０は箱本体２とロアカバー３とが互いに組み付けられる際にこれらを案内する。【選択図】図２
2006149069.tif 000002
【特許請求の範囲】
【請求項１】
ワイヤハーネスの端末が取り付けられる箱本体と、
前記箱本体に取り付けられるカバー部材と、
前記箱本体と前記カバー部材とが互いに取り付けられる際に、これらが互いに近づく方向に沿って、前記箱本体から前記カバー部材に向かって延びているとともに、前記ワイヤハーネスが取り付けられる電線固定片と、
前記電線固定片と前記カバー部材とに設けられ、かつ前記箱本体と前記カバー部材とが互いに取り付けられる際にこれらが互いに近づく方向を案内する案内部と、
を備えたことを特徴とする電気接続箱。
【請求項２】
前記案内部は、前記箱本体と前記カバー部材とが互いに取り付けられると、これらが互いに位置ずれすることを規制することを特徴とする請求項１記載の電気接続箱。
【請求項３】
前記案内部は、
前記電線固定片と前記カバー部材とのうち一方から他方に向かって凸でかつ前記箱本体と前記カバー部材とが互いに取り付けられる際にこれらが互いに近づく方向に沿って延在したガイド突部と、
前記電線固定片と前記カバー部材とのうち他方に設けられ前記一方から離れる方向に凹で、かつ前記箱本体と前記カバー部材とが互いに取り付けられる際にこれらが互いに近づく方向Ｋに沿って延在しているとともに前記ガイド突部が侵入するガイド溝と、を備えたことを特徴とする請求項２記載の電気接続箱。
【請求項４】
前記カバー部材の外壁に、前記ワイヤハーネスを収容するとともに前記箱本体と前記カバー部材とが互いに取り付けられると前記電線固定片で塞がれる凹溝が設けられたことを特徴とする請求項１ないし請求項３のうちいずれか一項に記載の電気接続箱。
【請求項５】
前記凹溝の底面のうち前記箱本体寄りの縁から該凹溝の中央部とに亘って切欠きが設けられていることを特徴とする請求項４記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１に示された電気接続箱は、外郭を形成する箱本体と、配線盤と、箱本体に取り付けられるカバー部材などを備えている。箱本体には、ヒューズやリレーなどの電気部品が装着される。また、箱本体には、ワイヤハーネスのコネクタなどが嵌合する。
【０００６】
配線盤は、箱本体内に収容されており、前述したヒューズやリレーなどの電気部品と、ワイヤハーネスのコネクタの端子とを予め定められたパターンにしたがって、互いに電気的に接続する。カバー部材は、箱本体に取り付けられると、前述したワイヤハーネスのコネクタなどを覆う。
【０００７】
また、前述した箱本体には、電線固定片が一体に設けられている。電線固定片は、箱本体とカバー部材とが互いに取り付けられる際に、これらが互いに近づく方向に沿って、箱本体からカバー部材に向かって延在している。電線固定片は、箱本体の外壁面と面一となっている。電線固定片は、前述したワイヤハーネスが重ねられて、該ワイヤハーネスとともに外周にテープが巻かれて、ワイヤハーネスが取り付けられる。さらに、前述したカバー部材には、箱本体が取り付けられると、前述した電線固定片が侵入するとともに、ワイヤハーネスの電線を外部に逃がす切欠きが設けられている。
【０００８】
前述した電気接続箱では、箱本体にカバー部材が取り付けられると、電線固定片が前述した切欠きに侵入し、ワイヤハーネスが切欠きを通して外部に導かれることとなる。
【特許文献１】特開２００２−１７０２５号公報
【発明の開示】
【発明が解決しようとする課題】
【０００９】
前述した従来の電気接続箱は、箱本体とカバー部材とを互いに組み付ける際に、電線固定片を箱本体の切欠き内に挿入しながら、箱本体とカバー部材に設けられた係止部同士を互いに係止する必要があった。則ち、ワイヤハーネスが取り付けられた電線固定片の位置を定めながら、箱本体とカバー部材とを互いに組み付けなければならなく、箱本体とカバー部材とが互いに組み付けにくかった。
【００１０】
したがって、本発明の目的は、箱本体とカバー部材とを容易に組み付けることができる電気接続箱を提供することにある。
【課題を解決するための手段】
【００１１】
前記課題を解決し目的を達成するために、請求項１に記載の本発明の電気接続箱は、ワイヤハーネスの端末が取り付けられる箱本体と、前記箱本体に取り付けられるカバー部材と、前記箱本体と前記カバー部材とが互いに取り付けられる際に、これらが互いに近づく方向に沿って、前記箱本体から前記カバー部材に向かって延びているとともに、前記ワイヤハーネスが取り付けられる電線固定片と、前記電線固定片と前記カバー部材とに設けられ、かつ前記箱本体と前記カバー部材とが互いに取り付けられる際にこれらが互いに近づく方向を案内する案内部と、を備えたことを特徴としている。
【００１２】
請求項２に記載の本発明の電気接続箱は、請求項１記載の電気接続箱において、前記案内部は、前記箱本体と前記カバー部材とが互いに取り付けられると、これらが互いに位置ずれすることを規制することを特徴としている。
【００１３】
請求項３に記載の本発明の電気接続箱は、請求項２記載の電気接続箱において、前記案内部は、前記電線固定片と前記カバー部材とのうち一方から他方に向かって凸でかつ前記箱本体と前記カバー部材とが互いに取り付けられる際にこれらが互いに近づく方向に沿って延在したガイド突部と、前記電線固定片と前記カバー部材とのうち他方に設けられ前記一方から離れる方向に凹で、かつ前記箱本体と前記カバー部材とが互いに取り付けられる際にこれらが互いに近づく方向に沿って延在しているとともに前記ガイド突部が侵入するガイド溝と、を備えたことを特徴としている。
【００１４】
請求項４に記載の本発明の電気接続箱は、請求項１ないし請求項３のうちいずれか一項に記載の電気接続箱において、前記カバー部材の外壁に、前記ワイヤハーネスを収容するとともに前記箱本体と前記カバー部材とが互いに取り付けられると前記電線固定片で塞がれる凹溝が設けられたことを特徴としている。
【００１５】
請求項５に記載の本発明の電気接続箱は、請求項４記載の電気接続箱において、前記凹溝の底面のうち前記箱本体寄りの縁から該凹溝の中央部とに亘って切欠きが設けられていることを特徴としている。
【００１６】
請求項１に記載した本発明の電気接続箱によれば、電線固定片とカバー部材とに設けられた案内部により、箱本体とカバー部材とが互いに取り付けられる際にこれらが互いに近づく方向が案内される。
【００１７】
請求項２に記載した本発明の電気接続箱によれば、箱本体とカバー部材とを互いに組み付けると、電線固定片とカバー部材とが相対的に位置ずれすることを規制できる。
【００１８】
請求項３に記載した本発明の電気接続箱によれば、ガイド突部と該ガイド突部が侵入するガイド溝とを備えているので、案内部が箱本体とカバー部材とを確実に案内できるとともに、電線固定片とカバー部材とを確実に位置決めできる。
【００１９】
請求項４に記載した本発明の電気接続箱によれば、凹溝が電線固定片で塞がれるので、電線固定片とカバー部材との間に侵入した水などの液体が一旦凹溝内に浸入する。
【００２０】
請求項５に記載した本発明の電気接続箱によれば、凹溝の底面に切欠きが設けられているので、箱本体とカバー部材とを互いに組み付ける際に、凹溝の底面の箱本体寄りの縁などにワイヤハーネスが接触（干渉）することを防止できる。
【発明の効果】
【００２１】
以上説明したように請求項１に記載の本発明は、案内部により箱本体とカバー部材とが案内されるので、電線固定片の位置を作業員などが定めることなく、電線固定片を所定の位置に位置決めした状態で箱本体とカバー部材とを互いに組み付けることができる。したがって、箱本体とカバー部材とを容易に組み付けることができる。
【００２２】
請求項２に記載の本発明は、電線固定片とカバー部材とを位置決めできるので、電線固定片に取り付けられたワイヤハーネスを確実に位置決めできる。
【００２３】
請求項３に記載の本発明は、ガイド突部と該ガイド突部が侵入するガイド溝とを備えているので、案内部が箱本体とカバー部材とを確実に案内できるとともに、電線固定片とカバー部材とを確実に位置決めできる。
【００２４】
請求項４に記載の本発明は、電線固定片とカバー部材との間に侵入した水などの液体が一旦凹溝内に浸入するため、電線固定片とカバー部材との間に侵入した水などの液体が直接カバー部材内に浸入することを防止できるので、防水性に優れた電気接続箱を提供することができる。
【００２５】
請求項５に記載の本発明は、凹溝の底面の箱本体寄りの縁などにワイヤハーネスが接触（干渉）することを防止できるので、ワイヤハーネスが箱本体とカバー部材とを互いに組み付ける際の障害になることを防止でき、箱本体とカバー部材とを容易に互いに組み付けることができる。
【発明を実施するための最良の形態】
【００２６】
以下、本発明の一実施形態にかかるプロテクタ及び該プロテクタを備えた電気接続箱を、図１ないし図４に基づいて説明する。本実施形態にかかる図１に示す電気接続箱１は、移動体としての自動車に搭載される。
【００２７】
電気接続箱１は、図１に示すように、箱本体２と、図示しない配線盤と、カバー部材としてのロアカバー３と、電線固定片９と、案内部１０と、を備えている。箱本体２は、絶縁性の合成樹脂からなり、周知の射出成形により成形される。箱本体２は、複数の外壁４により、筒状（箱状）に形成されている。
【００２８】
また、箱本体２の図１の上面（表面に相当する）２ａには、リレー５及びヒューズ６などの電気部品が装着される装着部８が複数設けられている。
【００２９】
また、箱本体２の図１の下方に位置する図示しない下面には、前述した自動車に配索されるワイヤハーネス７（図１及び図２中などに二点鎖線で示す）のコネクタが嵌合する。ワイヤハーネス７は、複数の電線と、該電線の端末などに取り付けられたコネクタとを備えている。コネクタは、前述した自動車に搭載される各種の電子機器や、前述した箱本体２に嵌合する。このため、箱本体２の下面には、ワイヤハーネス７の端末が取り付けられる。箱本体２の外壁４には、ロアカバー３と固定用の係止部１１が複数設けられている。係止部１１は、箱本体２の前述した下面寄りの縁部に設けられている。
【００３０】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３１】
配線盤は、箱本体２内に収容されると、バスバがワイヤハーネス７のコネクタと、装着部８に装着されたリレー５及びヒューズ６などの電気部品とを予め定められたパターンにしたがって、互いに電気的に接続する。
【００３２】
ロアカバー３は、絶縁性の合成樹脂などからなり、周知の射出成形により成形される。ロアカバー３は、互いに連なる複数の外壁１２を備えて、有底筒状に形成されている。ロアカバー３の外壁１２には、前述した係止部１１と係止する係止部１３が複数設けられている。ロアカバー３は、係止部１３が箱本体２の係止部１１に係止して、箱本体２の前述した下面を覆うように、箱本体２に取り付けられる。
【００３３】
箱本体２とロアカバー３とが互いに組み付けられる際には、これらの箱本体２とロアカバー３とは前述した上面２ａ及び下面に対し直交する矢印Ｋに沿って、互いに近づけられる。なお、矢印Ｋは、箱本体２とロアカバー３とが互いに近づく方向をなしている。
【００３４】
また、ロアカバー３には、凹溝１７が設けられている。凹溝１７は、ロアカバー３の図２中手前側の外壁１２に設けられている。凹溝１７は、外壁１２から凹に形成されかつ前述した矢印Ｋに沿って直線状に延びている。凹溝１７は、図３に示すように、外壁１２の表面から凸でかつ前述した矢印Ｋに沿って直線状に延びているとともに、前述した矢印Ｋに対し直交する方向に沿って互いに間隔をあけた一対の突起１４，１４と、これらの突起１４，１４の互いに相対する内面１４ａ，１４ａに連なりかつ前述した外壁１２の表面と平行な底面１５とにより形成されている。
【００３５】
さらに、凹溝１７には、切欠き１６が設けられている。切欠き１６は、凹溝１７の底面１５の一部を切り欠いて、ロアカバー３の内外を連通している。切欠き１６は、底面１５の箱本体２寄りの縁から底面１５の矢印Ｋ方向の中央部とに亘って、設けられている。なお、図２には、前述した底面１５の箱本体２寄りの縁を二点鎖線で示す。
【００３６】
電線固定片９は、帯板状に形成されており、箱本体２に一体に設けられている。電線固定片９は、箱本体２のロアカバー３に取り付けられると凹溝１７が設けられた外壁１２と連なる外壁４のロアカバー３寄りの縁からロアカバー３に向かって直線状に延在している。電線固定片９の長手方向は、前述した矢印Ｋと平行である。電線固定片９の表面と、箱本体２の外壁４の表面とは、略面一になっている。電線固定片９は、箱本体２とロアカバー３とが互いに組み付けられると、前述した凹溝１７を塞ぐ（覆う）位置に配されている。
【００３７】
電線固定片９は、幅広部１８と、幅狭部１９と、を一体に備えている。幅広部１８は、箱本体２に連なっているとともに、幅が、前述した凹溝１７の矢印Ｋに直交する方向の幅より若干広く形成されている。幅狭部１９は、幅広部１８の箱本体２から離れた側の縁に連なっている。幅狭部１９は、幅が、前述した凹溝１７の矢印Ｋに直交する方向の幅と幅広部１８の幅との双方より狭く形成されている。
【００３８】
電線固定片９は、前述したワイヤハーネス７が表面上に重ねられ、該ワイヤハーネス７とともに幅狭部１９の外周にテープ２０が巻かれて、前述したワイヤハーネス７が取り付けられる。
【００３９】
案内部１０は、ガイド突部としての前述した電線固定片９の幅広部１８の矢印Ｋに対し直交する方向（幅方向）の両方の端１８ａ，１８ａと、ガイド溝２１と、を備えている。
【００４０】
電線固定片９の両方の端１８ａ，１８ａは、前述した矢印Ｋに対し直交する方向に沿って、電線固定片９からロアカバー３に設けられた突起１４，１４に向かって凸である。また、電線固定片９の両方の端１８ａ，１８ａは、前述した矢印Ｋに沿って、直線状に延びている。
【００４１】
ガイド溝２１は、前述した一対の突起１４，１４の互いに相対する内面１４ａ，１４ａから凹に形成されている。則ち、ガイド溝２１は、前記電線固定片９から離れる方向に前記内面１４ａ，１４ａから凹である。また、ガイド溝２１は、前述した矢印Ｋに沿って、直線状に延びている。
【００４２】
このように、前述した案内部１０は、電線固定片９と、ロアカバー３との双方に設けられている。また、案内部１０は、ガイド溝２１内に電線固定片９の端１８ａ，１８ａが侵入して、箱本体２とロアカバー３とが互いに組み付けられる際に、これらが互いに近づく方向を案内する。また、前述した案内部１０は、係止部１１，１３同士が互いに係止して、箱本体２とロアカバー３とが互いに組み付けられると、電線固定片９の端１８ａ，１８ａが前述したガイド溝２１内に収容されたままとなる。このため、案内部１０は、箱本体２とロアカバー３とが互いに組み付けられると、これらが互いに位置ずれすることを規制する。
【００４３】
前述した電気接続箱１は、以下のように組み立てられる。まず、箱本体２内に配線盤を収容し、箱本体２の上面２ａに設けられた装着部８にヒューズ６やリレー５などの電気部品が装着される。そして、電気接続箱１は、箱本体２の下面にワイヤハーネス７のコネクタを嵌合させる。
【００４４】
ワイヤハーネス７を電線固定片９に重ね、幅狭部１９とワイヤハーネス７の外周にテープ２０を巻き、該テープ２０で電線固定片９にワイヤハーネス７を取り付ける。
【００４５】
その後、図２に示すように、箱本体２とロアカバー３とを矢印Ｋに沿って、互いに間隔をあけて配置する。すると、図４（ａ）に示すように、ガイド溝２１と電線固定片９の端１８ａ，１８ａが、矢印Ｋに沿って、互いに間隔をあける。そして、箱本体２とロアカバー３とを互いに近づけると、図４（ｂ）に示すように、ガイド溝２１内に電線固定片９の端１８ａ，１８ａが侵入する。
【００４６】
ガイド溝２１内に電線固定片９の端１８ａ，１８ａが侵入するので、これらのガイド溝２１及び電線固定片９の端１８ａ，１８ａ則ち案内部１０により、箱本体２とロアカバー３とが案内されて、互いに近づく。そして、係止部１１，１３同士が互いに係止して、図１及び図４（ｃ）に示すように、箱本体２とロアカバー３とが互いに組み付けられる。すると、図３に示すように、凹溝１７が電線固定片９で塞がれる（覆われる）とともに、凹溝１７が電線固定片９に取り付けられたワイヤハーネス７を収容する。
【００４７】
こうして、前述した電気接続箱１は、組み立てられて、自動車に搭載される。そして、電気接続箱１は、自動車の電子機器と、ヒューズ６やリレー５などの電気部品などとを、予め定められたパターンにしたがって、互いに電気的に接続する。
【００４８】
本実施形態によれば、電線固定片９とロアカバー３とに設けられた案内部１０により、箱本体２とロアカバー３とが互いに取り付けられる際にこれらが互いに近づく方向が案内される。これにより、電線固定片９の位置を作業員などが定めることなく、電線固定片９を所定の位置に位置決めした状態で箱本体２とロアカバー３とを互いに組み付けることができる。したがって、箱本体２とロアカバー３とを容易に組み付けることができる。
【００４９】
箱本体２とロアカバー３とを互いに組み付けると、電線固定片９とロアカバー３とが相対的に位置ずれすることを規制できる。これにより、電線固定片９に取り付けられたワイヤハーネス７を確実に位置決めできる。
【００５０】
ガイド突部としての電線固定片９の端１８ａ，１８ａとガイド溝２１とを備えているので、案内部１０が箱本体２とロアカバー３とを確実に案内できるとともに、電線固定片９とロアカバー３とを確実に位置決めできる。
【００５１】
凹溝１７が電線固定片９で塞がれるので、電線固定片９とロアカバー３との間に侵入した水などの液体が一旦凹溝１７内に浸入する。このため、電線固定片９とロアカバー３との間に侵入した水などの液体が直接ロアカバー３内に浸入することを防止できるので、防水性に優れた電気接続箱１を提供することができる。
【００５２】
凹溝１７の底面１５に切欠き１６が設けられているので、箱本体２とロアカバー３とを互いに組み付ける際に、凹溝１７の底面１５の箱本体２寄りの縁などにワイヤハーネス７が接触（干渉）することを防止できる。このため、ワイヤハーネス７が箱本体２とロアカバー３とを互いに組み付ける際の障害になることを防止でき、箱本体２とロアカバー３とを容易に互いに組み付けることができる。
【００５３】
また、本発明では、図５に示すように、ロアカバー３の一対の突起１４，１４の内面１４ａ，１４ａそれぞれにガイド突部２２を設け、電線固定片９の前述した両端１８ａ，１８ａにガイド溝２１を設けても良い。なお、図５において、前述した実施形態と同一部分には、同一符号を付して説明を省略する。
【００５４】
ガイド突部２２は、ロアカバー３の一対の突起１４，１４の内面１４ａ，１４ａそれぞれから電線固定片９に向かって凸に形成され、前述した矢印Ｋに沿って、直線状に延びている。ガイド溝２１は、電線固定片９の幅広部１８の両端１８ａ，１８ａから凹に形成され、前述した矢印Ｋに沿って、直線状に延びている。図５に示す場合においても、箱本体２とロアカバー３とを互いに組み付ける際に、ガイド溝２１内にガイド突部２２が侵入する。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態に係る電気接続箱の斜視図である。
【図２】図１に示された電気接続箱の箱本体とロアカバーとを分解して示す斜視図である。
【図３】図１中のＩＩＩ−ＩＩＩ線に沿う断面図である。
【図４】図２に示された箱本体とロアカバーとを互いに組み付ける過程を示す説明図である。
【図５】図３に示された電気接続箱の変形例を示す断面図である。
【符号の説明】
【００５７】
１  電気接続箱
２  箱本体
３  ロアカバー（カバー部材）
５  リレー（電気部品）
６  ヒューズ（電気部品）
９  電線固定片
１０  案内部
１２  外壁
１５  底面
１６  切欠き
１７  凹溝
１８ａ  端（ガイド突部）
２１  ガイド溝
２２  ガイド突部
Ｋ  互いに近づく方向
【図１】
2006149069.tif 000003
【図２】
2006149069.tif 000004
【図３】
2006149069.tif 000005
【図４】
2006149069.tif 000006
【図５】
2006149069.tif 000007